(57)【要約】【課題】上面を大きく開けることができ、一旦開けた後の閉蓋維持も容易であり、しかも閉蓋維持手段の存在がデザインを損なうことのない紙箱を提供する。【解決手段】紙箱１はブランクシート１０を起函及びのり付けして形成した本体の上面に観音開きの左リッド部２４と右リッド部２５を有している。左リッド部２４と右リッド部２５の裏面には、他方のリッド部の先端を差し込み得るポケット３０、３１がポケット用フラップを２６、２７によって形成されている。左リッド部２４と右リッド部２５の先端同士を重ね合わせると、どちらかのリッド部の先端が他方のリッド部のポケットに差し込まれ、閉蓋状態が維持される。【選択図】図３
2007099300.tif 000002
【特許請求の範囲】
【請求項１】
ブランクシートを起函及びのり付けして形成した箱本体の上面に観音開きのリッド部を設け、少なくとも一方のリッド部の裏面に、他方のリッド部の先端を差し込み得るポケットを形成したことを特徴とする紙箱。
【請求項２】
前記ポケットが双方のリッド部に形成されていることを特徴とする請求項１に記載の紙箱。
【請求項３】
前記リッド部の両側縁より折り込んだフラップにより前記ポケットを形成したことを特徴とする請求項１又は２に記載の紙箱。
【発明の詳細な説明】
【技術分野】
【０００１】
本発明は、食品や玩具など比較的小型の物品を入れるのに適した紙箱に関する。
【背景技術】
【０００２】
紙箱は物品のパッケージとして広く利用されているが、その中に、上面を大きく開けられるようにして内容物の取り出しやすさや展示効果の向上を図ったものがある。その一例を特許文献１に見ることができる。特許文献１に開示された紙箱は、観音開き式の左上面板と右上面板で上面を覆い、上面を全面的に開放可能としている。
【特許文献１】特開２００５−１８６９８２号公報（第８−９頁［００３０］−［００３４］、図３）
【発明の開示】
【発明が解決しようとする課題】
【０００３】
特許文献１記載の紙箱においては、左上面板に繋止開口を設け、この繋止開口に右上面板の凸状湾曲辺を挿入して繋止することにより、両上面板を閉蓋状態に保つ。しかしながらこの手法だと繋止開口から紙箱の内部に埃等が侵入するうえ、繋止開口が存在することにより紙箱のデザインが損なわれるという問題がある。
【０００４】
本発明は上記の点に鑑みてなされたものであり、上面を大きく開けることができ、一旦開けた後の閉蓋維持も容易であり、しかも閉蓋維持手段の存在がデザインを損なうことのない紙箱を提供することを目的とする。
【課題を解決するための手段】
【０００５】
（１）上記目的を達成するために本発明は、ブランクシートを起函及びのり付けして形成した箱本体の上面に観音開きのリッド部を設け、少なくとも一方のリッド部の裏面に、他方のリッド部の先端を差し込み得るポケットを形成した紙箱であることを特徴としている。
【０００６】
この構成によると、観音開きのリッド部により上面を大きく開くことができる。そして一方のリッド部の裏面に形成したポケットに他方のリッド部の先端を差し込むことにより閉蓋状態を維持できる。ポケットは開口と異なりそこから紙箱の内部に埃等が侵入することがなく、またリッド部の裏面に設けられているので紙箱のデザインを損なわない。
【０００７】
（２）また本発明は、上記構成の紙箱において、前記ポケットが双方のリッド部に形成されていることを特徴としている。
【０００８】
この構成によると、２枚のリッド部をどちらが上になるように重ねてもリッド部先端をポケットに差し込むことができ、差し込みに失敗することがない。
【０００９】
（３）また本発明は、上記構成の紙箱において、前記リッド部の両側縁より折り込んだフラップにより前記ポケットを形成したことを特徴としている。
【００１０】
この構成によると、フラップによってリッド部が二重構造になるためリッド部の剛性が増し、開け閉めがしやすくなる。またリッド部を開けるときフラップの折り曲げ部に指をかけて開けることになり、指ざわりが良いうえ、リッド部の縁で指の皮膚を切る危険も少ない。
【発明の効果】
【００１１】
本発明によると、観音開きのリッド部により上面を大きく開くことができ、内容物を取り出したり展示したりするのに便利であるうえ、少なくとも一方のリッド部の裏面に形成したポケットに他方のリッド部の先端を差し込むことにより、一旦開封した後であっても閉蓋状態を維持できる紙箱を提供できる。リッド部裏面のポケットは開口と異なり紙箱の内部への埃等の侵入を許さず、紙箱のデザインを損なうこともない。
【発明を実施するための最良の形態】
【００１２】
以下、本発明の一実施形態を図１〜４に基づき説明する。図１は閉蓋状態の紙箱の斜視図、図２は開蓋状態の紙箱の斜視図、図３は紙箱の断面図、図４はブランクシートの展開図である。
【００１３】
図１の紙箱１は、図４に示すブランクシート１０を起函し、ホットエアー、ホットメルト接着剤、コールドグルー接着剤などで所定箇所をのり付けして形成される。ブランクシート１０は、収容する物品に合わせて剛性、耐水性、耐油性、撥水性などの素材特性を調整した印刷済み紙シートを所定の形状に打ち抜き、折り曲げ線（点線で表す）を入れて形成されるものであり、次の部分からなる。
【００１４】
まずボトム部１１がある。ボトム部１１は矩形であり、その両長辺には同じく矩形の前サイド部１２と後サイド部１３が連設されている。前サイド部１２は紙箱１の正面となり、後サイド部１３は紙箱１の背面となる。前サイド部１２には幅の細い天面部１４を介して内サイド部１５が連設され、内サイド部１５にはのり付けタブ１６が連設される。同様に後サイド部１３には幅の細い天面部１７を介して内サイド部１８が連設され、内サイド部１８にはのり付けタブ１９が連設される。また前サイド部１２の両短辺にはサイドフラップ２０Ｌ、２０Ｒが連設され、後サイド部１３の両短辺にはサイドフラップ２１Ｌ、２１Ｒが連設される。
【００１５】
ボトム部１１の両短辺には左サイド部２２と右サイド部２３が連設される。左サイド部２２には左リッド部２４が連設され、右サイド部２３には右リッド部２５が連設される。左リッド部２４と右リッド部２５は、いずれも先端（自由端）が円弧状の凸部をなしている。左リッド部２４と右リッド部２５の両側縁（ボトム部１１の長辺と平行な縁）にはポケット用フラップ２６、２７が連設されている。
【００１６】
ブランクシート１０を紙箱１とする手順は次の通りである。まず左リッド部２４と右リッド部２５において、ポケット用フラップ２６、２７をリッド部両側縁よりリッド部裏面側に折り込む。図４には折り込み後のポケット用フラップ２６、２７が二点鎖線で表示されている。そして左リッド部２４とポケット用フラップ２６、右リッド部２５とポケット用フラップ２７をそれぞれのり付けする。ポケット部を形成する関係上、のり付け箇所は部分的なものとなる。すなわちポケット用フラップ２６においては二点鎖線で示す境界線２８より右側の領域がのり付けの対象となり、ポケット用フラップ２７においては二点鎖線で示す境界線２９より左側の領域がのり付けの対象となる。のり付けされなかった箇所は、左リッド部２４においてはポケット３０となり、右リッド部２５においてはポケット３１となる（図３参照）。
【００１７】
上記のようにしてポケット３０、３１を形成した後、前サイド部１２と後サイド部１３を立ち上げる。すなわちボトム部１１と前サイド部１２の間の折り曲げ線、前サイド部１２と天面部１４の間の折り曲げ線、及び天面部１４と内サイド部１５の間の折り曲げ線を内折りにし、内サイド部１５とのり付けタブ１６の間の折り曲げ線を外折りにしたうえで、のり付けタブ１６をボトム部１１にのり付けすると、天面部１４の幅だけの厚みを持った壁部がボトム部１１の上に立ち上がる。同様にして、後サイド部１３、天面部１７、内サイド部１８、及びのり付けタブ１９からなる壁部をボトム１１の上に立ち上げる。
【００１８】
前サイド部１２と後サイド部１３を上記のように立ち上げた後、サイドフラップ２０Ｌ、２０Ｒ、２１Ｌ、２１Ｒを内側に折り曲げる。その外側に左サイド部２２と右サイド部２３を折り曲げ、サイドフラップ２０Ｌ、２１Ｌの外面と左サイド部２２の内面、サイドフラップ２０Ｒ、２１Ｒの外面と右サイド部２３の内面をそれぞれのり付けすれば、上面が開口した紙箱１の本体が完成する。
【００１９】
完成した紙箱１の本体に内容物の物品を入れ、上面開口を左リッド部２４と右リッド部２５で閉ざす。左リッド部２４と右リッド部２５は、閉蓋状態にすると先端の円弧状凸部同士が重なり合う。重なり合いが生じると、下側になったリッド部の円弧状凸部が上側になったリッド部のポケットに差し込まれ、閉蓋状態が維持される。図３には左リッド部２４のポケット３０に右リッド部２５の円弧状凸部が差し込まれた状態が示されている。
【００２０】
左リッド部３４又は右リッド部２５の円弧状凸部を相手方のポケットに差し込むとき、ポケットの入口が開いていると作業がしやすい。そこで次のようにするとよい。すなわちポケット用フラップ２６、２７に、リッド部の方に向かって凸となるエンボスを形成するのである。場所はポケット３０、３１の中でも入口に近い方の箇所である。このようにすれば、ポケット３０、３１の入口が常に開き、リッド部の円弧状凸部をスムーズに迎え入れることができる。
【００２１】
上記のように物品を入れ、左右のリッド部２４、２５を閉ざした状態で、合成樹脂フィルムなどにより紙箱１をさらに包装し、商品としての完成形態とする。
【００２２】
紙箱１の包装を取り去れば、左リッド部２４と右リッド部２５を観音開きして紙箱１の内部を露出させることができる。紙箱１の上面が大きく開くので物品が取り出しやすく、そのまま陳列展示しても中が見やすい。またポケット用フラップ２６、２７を折り込んだことによって左リッド部２４も右リッド部２５も二重構造になるため剛性が増し、開け閉めがしやすくなる。また左リッド部２４を開けるときはポケット用フラップ２６の折り曲げ部に、右リッド部２５を開けるときはポケット用フラップ２７の折り曲げ部に、それぞれ指をかけて開けることになり、指ざわりが良いうえ、リッド部の縁で指の皮膚を切る危険も少ない。
【００２３】
左リッド部２４と右リッド部２５の観音開きを閉じれば、紙箱１を再び閉蓋状態に置くことができる。この時、左リッド部２４と右リッド部２５のどちらが上になるように重ねても、一方のリッド部の先端が他方のリッド部のポケットに差し込まれることになり、差し込みに失敗することがない。
【００２４】
以上本発明の一実施形態につき説明したが、この他、発明の主旨から逸脱しない範囲で種々の改変を加えて実施することができる。
【産業上の利用可能性】
【００２５】
本発明は比較的小型の物品用の紙箱に広く利用可能である。
【図面の簡単な説明】
【００２６】
【図１】閉蓋状態の紙箱の斜視図
【図２】開蓋状態の紙箱の斜視図
【図３】紙箱の断面図
【図４】ブランクシートの展開図
【符号の説明】
【００２７】
１    紙箱
１０  ブランクシート
１１  ボトム部
１２  前サイド部
１３  後サイド部
２２  左サイド部
２３  右サイド部
２４  左リッド部
２５  右リッド部
２６、２７  ポケット用フラップ
３０、３１  ポケット
【図１】
2007099300.tif 000003
【図２】
2007099300.tif 000004
【図３】
2007099300.tif 000005
【図４】
2007099300.tif 000006